(57)【特許請求の範囲】
【請求項１】
展示場に設置され、前記展示場内の展示物に関する情報を備える無線ＬＡＮ基地局と、
前記展示物の周囲及び前記展示場を俯瞰する位置に設置され、前記無線ＬＡＮ基地局と無線ＬＡＮで接続されるカメラと、
前記無線ＬＡＮ基地局と前記無線ＬＡＮで接続され、前記カメラを操作して前記展示物の画像を取得する無線端末と、を備え、
前記無線ＬＡＮ基地局が、
前記無線端末及び前記カメラと信号を送受信する送受信部、前記展示物に関する情報を格納する展示情報格納部、前記展示場の施設情報を格納する展示場情報格納部、前記展示場の混雑状況及び前記展示物の閲覧状況を算出する閲覧状況算出部を有し、
前記無線端末が、
前記無線ＬＡＮ基地局と送受信する送受信部、前記展示物に関する音声付き動画像を再生する音声動画像再生部、前記展示物を検索する展示物検索部、前記カメラを操作するカメラ操作部、ＧＰＳ受信部や現在位置算出部を含む現在位置情報取得部、前記展示物に関する音声付き動画像を表示する表示部を有し、
前記カメラが、
データ信号を送受信する送受信部、音声付き動画像を取得する撮像部、回転や伸縮機能を有する駆動部を有することを特徴とする無線ＬＡＮを使用した情報配信システム。
【請求項２】
前記無線端末から前記カメラを操作して、前記展示物の上面、裏面、側面、下面、内部を、広角度、遠近、パノラマ撮影することを特徴とする請求項１に記載の無線ＬＡＮを使用した情報配信システム。
【発明の詳細な説明】
【０００１】
【発明の属する技術分野】
本発明は、博物館等での展示場における展示物の案内を行うシステムに関し、特にカメラによって展示物の情報を取得する無線ＬＡＮを使用した情報配信システムに関する。
【０００２】
【従来の技術】
従来、博物館等での展示場における展示物の案内は、案内板や音声によるものが主であった。
【０００３】
従来の技術として、特開平２−１９０８８８号公報に示される個人案内システムがある。これは、見学者が個人毎に再生ユニットを携帯し、各展示物に固有のコードを無線で受信して対応した解説音声を生成することにより、多人数の見学者にも対応するシステムである。
【０００４】
【発明が解決しようとする課題】
従来、博物館等での展示場における展示案内は、案内板や音声によるものが主であり、多くの情報を得ることができなかった。また、閲覧者が得たい情報を自由に得ることができなかった。さらに、展示物を一定の角度からしか閲覧することができなかった。
【０００５】
【課題を解決するための手段】
上記の課題を解決するために、請求項１に係わる無線ＬＡＮを使用した情報配信システムの発明は、展示場に設置され、前記展示場内の展示物に関する情報を備える無線ＬＡＮ基地局と、前記展示物の周囲及び前記展示場を俯瞰する位置に設置され、前記無線ＬＡＮ基地局と無線ＬＡＮで接続されたカメラと、前記無線ＬＡＮ基地局と前記無線ＬＡＮで接続され、前記カメラを操作して前記展示物の画像を取得する無線端末と、を備えることを特徴とする。
【０００６】
また、請求項２に係わる無線ＬＡＮを使用した情報配信システムの発明は、前記請求項１記載の前記無線端末が、前記展示物の情報を前記無線ＬＡＮ基地局の展示物情報格納部から取得することを特徴とする。
【０００７】
さらに、請求項３に係わる無線ＬＡＮを使用した情報配信システムの発明は、前記請求項１記載の前記展示物に関するキーワードを前記無線端末から入力し、前記無線ＬＡＮ基地局にある展示物情報格納部を検索し、前記展示物の情報を取得することを特徴とする。
【０００８】
さらに、請求項４に係わる無線ＬＡＮを使用した情報配信システムの発明は、前記請求項１記載の前記無線端末が、前記無線ＬＡＮ基地局から前記展示場の施設情報を取得することを特徴とする。
【０００９】
さらに、請求項５に係わる無線ＬＡＮを使用した情報配信システムの発明は、前記請求項１記載の前記無線ＬＡＮ基地局が、前記カメラで閲覧者の状況を監視し、前記展示場内の混雑状況や前記展示物の人気ランキング等を算出し、前記無線端末が、前記混雑状況や前記人気ランキングを取得することを特徴とする。
【００１０】
さらに、請求項６に係わる無線ＬＡＮを使用した情報配信システムの発明は、前記請求項１記載の前記無線端末が、前記カメラを用いて前記展示場内を監視することを特徴とする。
【００１１】
さらに、請求項７に係わる無線ＬＡＮを使用した情報配信システムの発明は、前記請求項１記載の前記無線端末が、閲覧者の現在位置を展示場案内図の上に重ねて表示することを特徴とする。
【００１２】
さらに、請求項８に係わる無線ＬＡＮを使用した情報配信システムの発明は、展示場に設置され、前記展示場内の展示物に関する情報を備える無線ＬＡＮ基地局と、前記展示物の周囲及び前記展示場を俯瞰する位置に設置され、前記無線ＬＡＮ基地局と無線ＬＡＮで接続されるカメラと、前記無線ＬＡＮ基地局と前記無線ＬＡＮで接続され、前記カメラを操作して前記展示物の画像を取得する無線端末と、を備え、前記無線ＬＡＮ基地局が、前記無線端末及び前記カメラと信号を送受信する送受信部、前記展示物に関する情報を格納する展示情報格納部、前記展示場の施設情報を格納する展示場情報格納部、前記展示場の混雑状況及び前記展示物の閲覧状況を算出する閲覧状況算出部、前記カメラを操作するカメラ操作部を有し、前記無線端末が、前記無線ＬＡＮ基地局と送受信する送受信部、前記展示物に関する音声付き動画像を再生する音声動画像再生部、前記展示物を検索する展示物検索部、前記カメラを操作するカメラ操作部、ＧＰＳ受信部や現在位置算出部を含む現在位置情報取得部、前記展示物に関する音声付き動画像を表示する表示部を有し、前記カメラが、データ信号を送受信する送受信部、音声付き動画像を取得する撮像部、回転や伸縮機能を有する駆動部を有することを特徴とする。
【００１３】
さらに、請求項９に係わる無線ＬＡＮを使用した情報配信システムの発明は、前記請求項１または前記請求項８に記載の前記無線端末から前記カメラを操作して、前記展示物の上面、裏面、側面、下面、内部を、広角度、遠近、パノラマ撮影することを特徴とする。
【００１４】
【発明の実施の形態】
従来、博物館やイベント会場等の展示場に展示されている大きな展示物は、展示物全体を閲覧することが困難であったが、本無線ＬＡＮを使用した情報配信システムムを導入することにより、展示物の見えない部分を閲覧者が好みの角度から閲覧できるため、展示物全体を視覚情報として得ることができ、また、動画像付きの音声案内を用いれば、展示物に関する情報をより深く得ることが可能となる。
【００１５】
展示場では、展示会ごとに展示物の場所、形態が変るため、固定カメラを設置することが難しいが、無線ＬＡＮに接続したカメラを用いることによって、設置および配線の煩わしさを軽減することが可能である。
【００１６】
次に、本発明の無線ＬＡＮを使用した情報配信システムの構成について、図を参照しながら詳細に説明する。
【００１７】
図１は、本発明の無線ＬＡＮを使用した情報配信システムの構成図である。図１を参照すると、博物館等の展示場５に無線ＬＡＮ基地局１を設置することにより、無線ＬＡＮに対応したＰＤＡ等の無線端末２との通信を可能とする。展示場５は、閲覧者が入場する入口に無線端末貸出所５１、閲覧者が退場する出口に無線端末返却所５２を備え、内部に無線ＬＡＮ基地局１、展示物３、カメラ４を設置している。無線ＬＡＮ基地局１は、展示場５の外部に設置されてもよい。
【００１８】
図２は、本発明の無線ＬＡＮを使用した情報配信システムのブロック図である。無線ＬＡＮ基地局１は、無線端末２及びカメラ４と信号を送受信する送受信部、展示物３に関する情報を予め格納している展示情報格納部、展示場５の施設情報（例えば、休憩所、救護所、喫煙所、避難口、落し物預り所、自動販売機の配置位置、説明などの施設情報）を格納する展示場情報格納部、展示物３の周囲の混雑状況、展示場５の混雑状況、展示物３の閲覧状況等を算出する閲覧状況算出部、カメラ４を操作するカメラ操作部を備える。そして、無線ＬＡＮによって、無線端末２、カメラ４と接続されている。
【００１９】
無線端末２は、無線ＬＡＮ基地局１と送受信する送受信部、展示物３に関する音声、画像を用いた説明等を再生する音声動画像再生部、閲覧者が希望する展示物３を検索する展示物検索部、カメラ４からの拡大画像、様々な角度からの画像等のデータを取得するためにカメラ４を操作するカメラ操作部、ＧＰＳ受信部や現在位置算出部を含む現在位置情報取得部、カメラ４を操作して取得した動画像を表示する表示部等を含んで構成されている。無線端末２は、閲覧者が展示場５に入場する際に貸し出され、閲覧者は携帯しながら展示場５内においてカメラ４を操作して展示物３の裏側、上面、下面、内部などの様子を表示部で閲覧することができる。この無線端末２としては、ＰＤＡ、データ端末、携帯端末、移動端末などと呼ばれる端末が含まれる。
【００２０】
展示物３は、周囲に照明を含むカメラ４が設置されており、また、必要によっては、内部にも照明を含むカメラ４が設置されており、名称、識別番号等が予め設定されている。
【００２１】
カメラ４は、データ信号を送受信する送受信部、展示物３及び展示場５の音声付き動画像を含む画像を取得する撮像部、回転や伸縮などの機能を有する駆動部を含んで構成されている。展示物３の上面が撮影できる場所、展示物３の裏面が撮影できる場所、展示物３の側面が撮影できる場所、展示物３の下面が撮影できる場所、展示物３の内部が撮影できる場所を含む展示物３の周囲に、カメラ４は設置され、展示物３を広角度撮影、遠近撮影（縮小・拡大撮影）、パノラマ撮影する機能を備える。閲覧者及び展示主催者は、無線ＬＡＮ基地局１を経由してカメラ４を操作することが可能で、展示物３の詳細を多面的に閲覧する。
【００２２】
また、カメラ４は、展示場５を俯瞰する位置にも設置され、無線ＬＡＮ基地局１を経由して閲覧者、展示場５の展示主催者が操作する。カメラ４は、展示物３や周囲の状況を取得するため、広角カメラ、赤外線カメラ、望遠レンズ付きカメラ、接写レンズ付きカメラ、ＣＣＤカメラ、デジタルカメラ、モノクロカメラ、カラーカメラ、モノクロカメラ、パノラマカメラ、３６０度カメラ等々のカメラが適宜使用され、必要であれば照明も設置される。
【００２３】
次に、本発明の無線ＬＡＮを使用した情報配信システムを用いた動作について、図１及び図２を参照しながら詳細に説明する。
【００２４】
閲覧者は、展示場５に入場する際に無線端末貸出所５１で無線端末２の貸出を受け、展示場５に入場する。入場してから退場するまでに、本発明の無線ＬＡＮを使用した情報配信システムから以下に示すサービスの提供を受けながら、快適な環境で展示物３を閲覧する。
【００２５】
閲覧者が無線端末２を操作することによって、無線ＬＡＮ基地局１に接続し、無線ＬＡＮ基地局１の展示物情報格納部から、展示物３についての案内を音声及び動画（動画像付きの音声案内）で取得して表示するサービス（第１のサービス）の提供を受ける。閲覧者は、このサービスによって、展示物３に関する情報をより深く取得する。
【００２６】
また、閲覧者が閲覧を希望する展示物３の周囲に設置されたカメラ４を操作することによって、カメラ４から送信するデータを利用して展示物３の見えない部分を閲覧者が好みの角度から閲覧するなどの多面的なサービス（第２のサービス）の提供を受ける。つまり、閲覧者は、展示物３の上面、展示物３の裏面、展示物３の側面、展示物３の下面、展示物３の内部を含む好みの角度から閲覧し、展示物３を広角度撮影、遠近撮影、パノラマ撮影する。
【００２７】
閲覧者が閲覧を希望する展示物３の機能等を認識してはいるが、展示物３の名称、所在位置を特定出来ないような場合（うろ覚えを含む）には、閲覧者は展示物３に関するキーワード（データ）を無線端末２から入力し、無線ＬＡＮ基地局１に格納されている展示物情報格納部から、展示物３の名称、所在位置を検索し、無線端末２の表示部に表示させる。この閲覧したい展示物３の検出には、閲覧したい展示物３に関するキーワードをインプットすると該当する展示物３の名称、概要、外観図、展示場５における所在位置などが表示され、該当する展示物３が複数ある場合には、閲覧者の閲覧目的に沿って選択するサービス（第３のサービス）の提供を受ける。
【００２８】
さらに、閲覧者は、無線端末２を操作して、無線ＬＡＮ基地局１へ接続し、無線ＬＡＮ基地局１の展示場情報格納部から展示場５の展示場情報を取得して、休憩したり、喫煙に利用するサービス（第４のサービス）の提供を受ける。
【００２９】
さらに、無線ＬＡＮ基地局１からは、無線ＬＡＮ基地局１に備えられたカメラ操作部によってカメラ４を操作して閲覧者の状況を監視し、それを基に作成したデータにより、展示場５内の混雑状況や展示物３の人気ランキング等を算出する。無線端末２は、無線ＬＡＮ基地局１と接続して、この混雑状況や人気ランキングを取得するサービス（第５のサービス）の提供を受ける。
【００３０】
一方、展示場５を用いて展示物３の展示を主催する展示主催者も、無線端末２からカメラ４を操作することによって、展示場５内を監視し、安全性の確保、誘導への利用、入場の制限の判断に役立てるサービス（第６のサービス）の提供を受ける。
【００３１】
さらに、無線端末２に備えた現在位置情報取得部を利用して、閲覧者の現在位置を展示場案内図の上に重ねて表示するサービス（第７のサービス）の提供を受ける。この第７のサービスによって、閲覧者は目的とする展示物３へ容易に行くことが出来、閲覧できる。
【００３２】
展示物３の閲覧を終了した閲覧者は、無線端末返却所５２で無線端末２を返却し、展示場５から退場する。
【００３３】
【発明の効果】
以上説明したように、本発明による第１の効果は、閲覧場所からは展示物の見えない部分（例えば、展示物の裏側など）を閲覧できることである。従来、博物館やイベント会場等の展示場に展示されている大きな展示物は、展示物全体を閲覧することが困難であったが、本無線ＬＡＮを使用した情報配信システムムを導入することにより、展示物の見えない部分を閲覧者が好みの角度及び好みの拡大率で閲覧できるため、展示物全体を視覚情報として得ることができる。
【００３４】
第２の効果は、動画像付きの音声案内を用いることによって、展示物に関する情報をより深く得られることである。
【００３５】
第３の効果は、カメラの設置および配線の煩わしさを軽減できることである。展示場では、展示会ごとに展示物の場所、形態が変るため、固定カメラを設置することが難しいが、無線ＬＡＮに接続したカメラを用いることによって、設置および配線の煩わしさを軽減することが可能とる。
【図面の簡単な説明】
【図１】本発明の無線ＬＡＮを使用した情報配信システムの構成図である。
【図２】本発明の無線ＬＡＮを使用した情報配信システムのブロック図である。
【符号の説明】
１    無線ＬＡＮ基地局
２    無線端末
３    展示物
４    カメラ
５    展示場
５１    無線端末貸出所
５２    無線端末返却所
【図１】
0004003462.tif 000002
【図２】
0004003462.tif 000003